(57)【特許請求の範囲】
【請求項１】
少なくとも表示部と、操作部と、マイクと、スピーカと、バッテリー部とを有する薄型筐体構造の携帯通信装置において、前記携帯通信装置の本体中間部を支点にしてバッテリー部を当該装置本体下部から開閉自在に回動させる回動支持部が具備され、回動した前記バッテリー部をスタンドにして装置本体を自立させるようにした携帯通信装置であって、前記バッテリー部の開放端となる下端部に一つ又は複数個の突起部が形成されており、装置本体側のバッテリー部収納箇所に前記突起部を収納するガイド溝が形成されていて、前記突起部と前記ガイド溝に設けた充電端子同士が当該突起部をガイド溝に嵌めた状態で接触することを特徴とする携帯通信装置。
【請求項２】
前記バッテリー部は下端部に傾斜面を有し、当該傾斜面に前記突起部が形成されていることを特徴とする請求項１記載の携帯通信装置。
【発明の詳細な説明】
【０００１】
【発明が属する技術分野】
本発明は、携帯電話、ＰＨＳ、携帯型ビジュアルフォン、携帯情報端末など小型・軽量の薄型筐体構造を有する携帯通信装置に関する。
【０００２】
【従来の技術】
携帯電話機、ＰＨＳ移動端末などの携帯用通信装置に用いられているアンテナは通常指向性を有しており、受信側のアンテナ偏波面が送信側のアンテナ偏波面と一致した時が最も感度が高く、良好な通信が可能となる。前記携帯用通信装置のシステムにおいて、送信側アンテナ偏波面は垂直であり、受信側である前記携帯通信装置側のアンテナ偏波面も通常の使用状態である携帯通信装置を直立させた状態で垂直になるようにアンテナが設定されている。そこで、卓上に載置して待ち受ける状態の受信感度を向上させるため、前記携帯通信装置をできるだけ立てておくことがよい。また、適当な角度で自立させておくことは携帯通信装置を取り扱いやすく、液晶表示部が見やすいなどの利点も多い。
【０００３】
図６、図７、図８において第１の従来例を説明し、図９において第２の従来例について説明する。
【０００４】
第１の従来例では、アンテナ３２を有した携帯通信装置３１の底面部にスタンド足３４を有する。スタンド足３４は、スタンド足収納部３５に出入可能に設け、卓上に載置する場合、携帯通信装置３１に配設されている液晶表示部３３の背面側にスタンド足３４を取りだし底面面積を大きくして自立させる。（特開平９−３２１８５２号）
また、第２の従来例ではアンテナ３２を有した携帯通信装置３１を卓上載置の場合、携帯通信装置３１に配設されているキー操作ボタン３６の保護カバー３７を通常展開位置Ａよりさらに回動させて携帯通信装置３１の背面側位置Ｂに配置し、保護カバー３７をスタンドとして使用し携帯通信装置３１を自立させる。（特開平４−２７６９５７号）
【０００５】
【発明が解決しようとする課題】
第１の従来例においては、携帯通信装置を卓上面に対して任意の角度に設定できずに直角に自立させるだけであり、液晶表示部の視認性や取り扱い性も悪い。またスタンド足は薄型で幅方向も小さい携帯通信装置下部に配設されているので、スタンド足の大きさが小さく、少しの振動、衝撃や卓上面の傾斜に対して非常に弱く不安定で倒れやすい。
【０００６】
第２の従来例においては、キー操作ボタンの保護カバーがないタイプの携帯通信装置では自立させることが不可能である。キー操作ボタンの保護カバーがあるタイプでは保護カバーの厚み分だけ携帯通信装置全体が厚くなる。また軽いプラスチック製の保護カバーをスタンドにするので、携帯通信装置を自立させた場合、保護カバーより重量の多い携帯通信装置本体がスタンドより上になるので、当然重心位置が上になり不安定となる。よって、第１の従来例と同じく少しの振動、衝撃に対しても弱く、倒れやすい。
【０００７】
【課題を解決するための手段】
上記課題を解決する為に、少なくとも表示部と、操作部と、マイクと、スピーカと、バッテリー部とを有する薄型筐体構造の携帯通信装置において、前記携帯通信装置の本体中間部を支点にしてバッテリー部を当該装置本体下部から開閉自在に回動させる回動支持部が具備され、回動した前記バッテリー部をスタンドにして装置本体を自立させるようにした。
【０００８】
【発明の実施の形態】
以下、図面を用いて本発明の実施例を説明する。本発明の実施例においては縦＞幅＞厚さの関係を持つ形態の携帯通信装置に関して説明する。図１〜図４は第１の実施例を示す概略図である。図１は携帯通信装置の第１の外観斜視図で、携帯通信装置を手にとって通話したり、持ち運ぶ際の通常形態を示し、スタンド機能を持つスタンドバッテリー部は装置本体と一体に本体背面側に収納されている。図２は携帯通信装置の第２の外観斜視図で、スタンドバッテリー部を回動全展開したものであり、図３は携帯通信装置を卓上にて展開角度範囲内での任意の角度で自立させて、待受けまたはハンドフリー状態で通話を行う状態を示す第３の外観斜視図である。図４はスタンドバッテリー部を回動展開した状態でこれを下部側から見た携帯通信装置の斜視図（上部をカットした斜視図）である。
【０００９】
図１において、１は携帯通信装置、２はアンテナ、３は装置１と一体に収納されているスタンド機能を持つバッテリーを内蔵したスタンドバッテリー部、４はスタンドバッテリー部３側の回動支持アーム部を示す。回動支持アーム部４は装置１の幅方向に図示せぬ回動軸を有し、この回動軸が装置１側のこれも図示していない孔に嵌って回動支点となっている。５はスタンドバッテリー部３のケース下部側に設けられた卓上接地部とガイド機能を合わせ持つレール状の突起部であり、この突起部５が卓上面に安定的に接する。突起部５は表面に板金にて構成した充電端子を有する。６は装置１からスタンドバッテリー部３を引き出す際のスタンドバッテリー部３の固定を解除するロック解除ボタン。図２において、７は装置１のスタンドバッテリー部３の収納部に配設されたスタンドバッテリー部３に設けられたガイド機能を合わせもつレール状の突起部５と係合するガイド溝であり、これにより前記スタンドバッテリー部３の引き出し、収納が滑らか、正確、且つ安定的となる。このガイド溝７内には板金にて構成された充電端子が設けてあり、スタンドバッテリー部３の突起部５がガイド溝７に嵌った状態で、両充電端子同士は接触する。図３において、装置１の表面側に配置されている８は液晶表示部であり、９はキー操作ボタン類、１０はスピーカ、１１はマイクである。１２は装置１の本体下部に配設された卓上設置部であり、この卓上設置部１２とスタンドバッテリー部３と突起部５により液晶表示部８を見易い角度に装置１を自立させて、待ち受けまたはハンドフリーでの通話使用状態にする。携帯通信装置１の本体とスタンドバッテリー部３は回動支点アーム部４が装置１本体内部で回転軸が適度な回転トルクで摺接しており、展開角度範囲内で任意の角度に設定した場合、前記携帯通信装置１の本体とスタンドバッテリー部３は設定角度位置で保持される。
【００１０】
図４において、３ａはスタンドバッテリー部３のロック係合部であり、携帯通信装置１本体に配設された図示していないロック係合爪部と係合し、携帯通信装置１とスタンドバッテリー部３を一体固定する。結合を解除する場合は、ロック解除ボタン６で行う。１３は携帯通信装置１側とスタンドバッテリー部３に内蔵されているバッテリーとの電気的接続を行う電源コードである。１４は外部コネクター接続部であり、卓上面接地部１２の間に配設される。１５は電源接続端子であり、携帯通信装置１を図示していない充電スタンドアダプターに接続のおり、この電源接続端子１５よりバッテリー充電を兼ねて前記携帯通信装置１に電気が供給される。このバッテリー充電は、電源接続端子１５、ガイド溝７内の充電端子、スタンドバッテリー部３の突起部５の充電端子を介しスタンドバッテリー部３内蔵のバッテリーを充電するものである。また、スタンドバッテリー部３は、バッテリー部（バッテリーを内蔵するバッテリーパック）３ｂとバッテリー接続部３ｃとから構成され、バッテリー部３ｂ及びバッテリー接続部３ｃとは図示せぬ当接端面に電気コネクタを備え嵌合形式により着脱自在に結合している。そして携帯通信装置１本体収納部の上部にこのバッテリー接続部３ｃは回動支持アーム部４にて装置１本体に回動自在に取付けられている。
【００１１】
図５は本発明の第２の実施例である携帯通信装置を卓上に自立させた使用状態を示す斜視図である。前述した第１の実施例のものと同一の部位には同一符号を付し、同一部位に関する説明は省略する。まず、１６は携帯通信装置１の表面側上部に配設された撮像レンズ部であり、１７は通話者である。携帯通信装置１を撮像通話（画像データ通信を伴う音声通信）に適当な角度に自立させ、撮像レンズ部１６を通話者１７に向け、携帯通信装置１を手で持った場合だけでなく、図のように卓上に置いてハンドフリー状態でも撮像通話できる。
【００１２】
以上説明から明らかなように、携帯通信装置の小型で軽量の操作性及びデザイン性に優れた従来からの当該通信装置の基本形状を崩すことがない。よって、通常の携帯時及び手に持っての通話時における使いがってがよい。
【００１３】
そして、卓上面に載置する場合には携帯通信装置を構成している中で、比較的重量があり、またスパンがあるバッテリー部をスタンドとして使用しているので、形態通信装置の重心位置が卓上面側に下がり、かつまた広く突起部のスパンをとれるので振動、衝撃及び卓上面の傾斜にも強いものになり、安定的に携帯通信装置をスタンド展開角度範囲内で任意の角度で保持自立させることができる。よって、携帯通信装置の受信感度が向上すると同時に液晶表示部が見やすく、取り扱い性にも優れたものになる。
【００１４】
また、突起部を卓上面に接触させているので、バッテリーケース表面にキズ、汚れ等がつきにくい。さらに、デザインに応じて携帯通信装置を構成しているバッテリーケースに幅または縦方向にカーブをつけても突起部が常にバッテリーケースより外側に突出しているので問題なくいろいろなデザインに対応できる。突起部はスタンドバッテリー部の引き出し、収納を滑らかに、正確、且つ安定的にすると共に、スタンドバッテリー部収納時はガイド機能を持つレール状突起部が携帯通信装置側のガイド溝に摺接係合するのでスタンドバッテリー部のガタツキを防止することができる。
【００１５】
さらに、携帯通信装置本体下部に配設された卓上面設置部は凸状であるため外部コネクター接続部や電源接続端子が不用意に金属類などに接触しないようにするための保護機能も併せ持つことができる。
【００１６】
本発明の構成は、特に撮像機能が内蔵されたビジュアルフォンや携帯情報端末などの携帯通信装置において有効であり、撮像に適当な角度で携帯通信装置を自立設定でき、ハンドフリー状態での撮像通話が可能となる。
【００１７】
本発明は、幅＞縦＞厚さの関係を持つ携帯通信装置でも同様に構成でき、同様な効果を得ることが可能である。
【００１８】
【発明の効果】
以上のように本発明によれば、薄型筐体構造の携帯通信装置のバッテリー部を回動自在にして卓上に携帯通信装置が自立するようにしたので、安定した自立が実現できる。
【図面の簡単な説明】
【図１】本発明の縦＞幅＞厚さの関係を持つ携帯通信装置の第１の実施例を背面側から見た携帯時の斜視図。
【図２】本発明の第１の実施例において、スタンドバッテリー部を回動全展開した状態で背面側から見た携帯通信装置の斜視図。
【図３】本発明の第１の実施例において、スタンドバッテリー部を展開角度範囲内で任意の角度に回動させて卓上に置いた状態を示した斜視図。
【図４】本発明の第１の実施例において、スタンドバッテリー部を回動展開した状態で下部側から見た携帯通信装置の斜視図（上部をカットした斜視図）。
【図５】本発明の縦＞幅＞厚さの関係を持つ携帯通信装置の第２の実施例で、撮像レンズ部を内蔵した携帯通信装置の卓上に置いた使用状態を示す斜視図。
【図６】第１の従来例のスタンド足を用いた携帯通信装置の側面図。
【図７】第１の従来例のスタンド足を用いた携帯通信装置の背面図。
【図８】第１の従来例のスタンド足を引き出し、収納状態を示した携帯通信装置の底面側から見た図。
【図９】第２の従来例のキー操作ボタンの保護カバーを展開する状態を示した斜視図。
【符号の説明】
１：携帯通信装置  ２：アンテナ
３：装置１と一体に収納されているスタンド機能を持つバッテリーを内蔵したスタンドバッテリー部
３ａ：スタンドバッテリー部３のロック係合部
３ｂ：バッテリー部（バッテリーパック）
３ｃ：バッテリー接続部
４：スタンドバッテリー部３側の回動支持アーム部
５：スタンドバッテリー部３のケース下部側に設けられたレール状の突起部
６：ロック解除ボタン  ７：突起部５と係合するガイド溝
８：液晶表示部        ９：キー操作ボタン類
１０：スピーカ  １１：マイク
１２：装置１の本体下部に配設された卓上設置部
１３：携帯通信装置１側とスタンドバッテリー部３に内蔵されているバッテリーとの電気的接続を行う電源コード
１４：外部コネクター接続部    １５：電源接続端子
１６：撮像レンズ              １７：通話者
【図１】
0003762126.tif 000002
【図２】
0003762126.tif 000003
【図３】
0003762126.tif 000004
【図４】
0003762126.tif 000005
【図５】
0003762126.tif 000006
【図６】
0003762126.tif 000007
【図７】
0003762126.tif 000008
【図８】
0003762126.tif 000009
【図９】
0003762126.tif 000010